(57)【要約】【課題】  一重まぶたに筋付けをすることにより二重まぶたを形成する二重まぶた形成具について、動力を用いた駆動部を備えることによっていきおい大型化した二重まぶた形成具を、動力を用いた駆動部を排除し、簡便な構成で使用場所が自宅などに限定されず携帯に適するように小型化する。【解決手段】  まぶたに押当てられるガイド片２と、ガイド片２に沿ってまぶたに対し進退してまぶたに筋付けをする筋付片３と、筋付片３を手動で進退駆動する操作部４とを備えている。【選択図】        図１
2011130855.tif 000002
【特許請求の範囲】
【請求項１】
まぶたに押当てられるガイド片と、ガイド片に沿ってまぶたに対し進退してまぶたに筋付けをする筋付片と、筋付片を手動で進退駆動する操作部とを備えてなる二重まぶた形成具。
【請求項２】
請求項１の二重まぶた形成具において、操作部はてこの動作により筋付片を駆動するものであることを特徴とする二重まぶた形成具。
【請求項３】
請求項１または２の二重まぶた形成具において、ガイド片，筋付片は蓋部，本体部からなるケーシングの内部に収容されてケーシングの蓋部が本体部から取外されることによって露出されるものであることを特徴とする二重まぶた形成具。
【請求項４】
請求項１〜３のいずれかの二重まぶた形成具において、操作部は蓋部，本体部からなるケーシングの一部を構成しケーシングの蓋部が本体部から取外されることによって操作が可能になることを特徴とする二重まぶた形成具。
【発明の詳細な説明】
【技術分野】
【０００１】
本発明は、一重まぶたに筋付けをすることにより二重まぶたを形成する二重まぶた形成具に係る技術分野に属する。
【背景技術】
【０００２】
一般的に、二重まぶたの形成手段としては、整形外科手術や薬品塗布が採用されている。然しながら、これ等の二重まぶたの形成手段では、恐怖感を伴ったり薬品アレルギーが生じたりすることから、二重まぶたを望む人にとって簡単に踏切れるものではなかった。このため、安全，簡便な二重まぶたの形成手段の開発が切望されている。
【０００３】
最近、安全，簡便な二重まぶたの形成手段として、押圧等によりまぶたに筋付けをすることが行われるようになってきている。
【０００４】
従来、筋付けによる二重まぶた形成具としては、例えば、特許文献１に記載に記載のものが知られている。
【０００５】
特許文献１に係る二重まぶた形成具は、まぶたに押当てられるガイド片と、ガイド片に沿ってまぶたに対し進退してまぶたに筋付けをする筋付片と、筋付片を進退駆動するモータ等の駆動部とを備えてなる。
【０００６】
特許文献１に係る二重まぶた形成具によると、駆動部によって進退駆動される筋付片で間欠的にまぶたを弾力性に抗して押圧して筋付けすることで、筋付け力を強くして確実に二重まぶたを形成することができる。
【先行技術文献】
【特許文献】
【０００７】
【特許文献１】特開２００５−２９６３９５号公報
【発明の概要】
【発明が解決しようとする課題】
【０００８】
特許文献１に係る二重まぶた形成具では、駆動部を備えていることから、いきおい大型化して携帯に適さないため、使用場所が自宅等に限定されてしまうという問題点がある。
【０００９】
本発明は、このような問題点を考慮してなされたもので、携帯に適するように小型化した二重まぶた形成具を提供することを課題とする。
【課題を解決するための手段】
【００１０】
前述の課題を解決するため、本発明に係る二重まぶた形成具は、特許請求の範囲の各請求項に記載の手段を採用する。
【００１１】
即ち、請求項１では、まぶたに押当てられるガイド片と、ガイド片に沿ってまぶたに対し進退してまぶたに筋付けをする筋付片と、筋付片を手動で進退駆動する操作部とを備えてなる。
【００１２】
この手段では、操作部によって手動で進退駆動される筋付片で間欠的にまぶたを皮膚の弾力性に抗して押圧して筋付けする。
【００１３】
また、請求項２では、請求項１の二重まぶた形成具において、操作部はてこの動作により筋付片を駆動するものであることを特徴とする。
【００１４】
この手段では、操作部がてこの動作を奏することで、小さな操作力で二重まぶたを形成することが可能になる。
【００１５】
また、請求項３では、請求項１または２の二重まぶた形成具において、ガイド片，筋付片は蓋部，本体部からなるケーシングの内部に収容されてケーシングの蓋部が本体部から取外されることによって露出されるものであることを特徴とする。
【００１６】
この手段では、ガイド片，筋付片が蓋部，本体部からなるケーシングによって収容，露出されることで、使用時にのみガイド片，筋付片をケーシングから露出させることができる。
【００１７】
また、請求項４では、請求項１〜３のいずれかの二重まぶた形成具において、操作部は蓋部，本体部からなるケーシングの一部を構成しケーシングの蓋部が本体部から取外されることによって操作が可能になることを特徴とする。
【００１８】
この手段では、操作部がケーシングの一部を構成することで、全体の容積の拡大を避けることができるとともに、ケーシングの蓋部が本体部に取付けられた状態での不測の動作を防止することができる。
【発明の効果】
【００１９】
本発明に係る二重まぶた形成具は、操作部によって手動で進退駆動される筋付片で間欠的にまぶたを皮膚の弾力性に抗して押圧して筋付けするようにし、モータ等の駆動部を排除したため、携帯に適するように小型化される効果がある。また、ガイド片，筋付片からなる構成を維持しているため、特許文献１に係る二重まぶた形成具における筋付け力を強くして確実に二重まぶたを形成するという効果を喪失しない効果がある。
【００２０】
さらに、請求項２として、操作部がてこの動作を奏することで、小さな操作力で二重まぶたを形成することが可能になるため、老人，病人の使用や手の動きに制約のある狭い場所での使用が可能になる効果がある。
【００２１】
さらに、請求項３として、ガイド片，筋付片が蓋部，本体部からなるケーシングによって収容，露出されることで、使用時にのみガイド片，筋付片をケーシングから露出させることができるため、ガイド片，筋付片の不測の損傷や汚損を避けることができるとともに、ハンドバック等への投入携帯に好適となる効果がある。
【００２２】
さらに、請求項４として、操作部がケーシングの一部を構成することで、全体の容積の拡大を避けることができるため、携帯に適するようにより小型化される効果がある。また、操作部がケーシングの一部を構成することで、ケーシングの蓋部が本体部に取付けられた状態での不測の動作を防止することができ、ハンドバック等の内部への携帯の際に筋付片が無用に動作されることがない効果がある。
【図面の簡単な説明】
【００２３】
【図１】本発明に係る二重まぶた形成具を実施するための形態の断面図であり、（Ａ）にケーシングに覆われた状態が示され、（Ｂ）にケーシングの蓋部が取外された状態が示され、（Ｃ）に操作部が操作可能になった状態が示されている。
【図２】図１（Ａ）の一部切除した底面図である。
【図３】図１（Ｂ）の一部切除した底面図である。
【図４】図１（Ｂ）の要部の側面図である。
【図５】図４の縦断面図である。
【図６】図１（Ｃ）の操作状態図である。
【図７】図６による二重まぶたの形成例の簡略化した側面図であり、（Ａ）にまぶたからの筋付片の後退状態が示され、（Ｂ）にまぶたへの筋付片の進出状態が示されている。
【発明を実施するための形態】
【００２４】
以下、本発明に係る二重まぶた形成具を実施するための形態を図面に基づいて説明する。
【００２５】
この形態では、図２，図３に示すように、丸形の化粧コンパクトタイプの外装とされたものが示されている。
【００２６】
この形態は、図１〜図３に示すように、ケーシング１の内部に湾曲片形のガイド片２，筋付片３が収容され、ケーシング１の一部が操作部４として構成されている。
【００２７】
ケーシング１は、ほぼ円形の抗菌性の合成樹脂材等の箱体が径方向に２分割されて蓋部１１と本体部１２とが形成されている。蓋部１１の側壁の内側面の本体部１２寄りには、ガイド片２に係止される断面が楕円溝形の係合溝１３が設けられている。蓋部１１，本体部１２の底壁の一部は、操作部４によって代替されるように切除された窓１４，１５が開口されている。蓋部１１の窓部１４の本体部１２とは反対側の端部には、操作部４が係止される段差部１６が設けられている。
【００２８】
ガイド片２は、抗菌性の合成樹脂材等で断面コ字形（図５参照）のブロック体に形成され、先端部側がケーシング１の本体部１２から突出されて蓋部１１に覆われ、後端部側がケーシング１の本体部１２の内部に収容されるようになっている。先端部には、図１〜図５に示すように、まぶた（上まぶた）Ｍに押当てられる上下方向，前後方向の２方向に湾曲された押当面２１が設けられている。後端部近くには、側面に軸穴２２（図２〜図５参照）が堀込まれた長方形の窓孔２３が開口されている。後端部と側部とには、筋付片３のスライド域を規制する壁面部２４，２５が筋付片３側（ケーシング１の本体部１２の表壁側）に突出するように設けられている。後端部の壁面部２４には、コイルスプリング５が収容されるコイルスプリング収容空間２６が形成されている。側部の壁面部２５のケーシング１の本体部１２からわずかに突出した位置には、ケーシング１の係合溝１３に係合する断面が楕円突起形の係合突起２７が設けられている。このガイド片２は、後端部がケーシング１の本体部１２に圧入，接着等によって固定される。
【００２９】
筋付片３は、抗菌性の合成樹脂材等で板体に形成され、ガイド片２の上（壁面部２４，２５で囲まれる部分）にスライド可能に積層されるようになっている。前後方向（スライド方向）の長さは、後退した際にガイド片２よりもわずかに後方に位置されるように設定されている。先端部には、図１〜図５に示すように、まぶた（上まぶた）Ｍに押当てられる上下方向，前後方向の２方向に湾曲（ガイド片２と一致）された押当面３１が設けられている。また、先端部には、押当面３１のガイド片２側の角部にシリコンゴムの緩衝材６が取付けられている。後端部近くには、長方形の窓孔３２（ガイド片２の窓孔２３とほぼ一致）が開口されている。裏面（ガイド片２側の面）の先端部近くには、緩衝材６を有効に機能させるためにガイド片２との間にスペースを確保する切込面３３が設けられている。
【００３０】
なお、前述のコイルスプリング５は、ガイド片２の後端部の壁面部２４と筋付片３の後端部とに連結され、筋付片３を後方側へ弾圧付勢している。
【００３１】
操作部４は、図１，図２に示すように、ケーシング１の蓋部１１，本体部１２の底壁（ガイド片２側の面）の一部を代替するような先端が丸形の長方形の板材で形成されている。丸形の先端部の側面には、ケーシング１の蓋部１１に設けられた段差部１６に係止される係止段部４１が設けられている。先端部から中央部寄りの裏面（ガイド片２に対面する面）には、指（親指）を掛ける湾曲した指掛け曲面４２が形成されている。後端部の裏面には、筋付片３の窓孔３２の内部で筋付片３を前方側へ進出するようにスライドさせる円柱形の押圧部４３が設けられている。後端部からわずかに先端部寄りの裏面には、ガイド片２の軸穴２２に支持される軸４４が設けられている。なお、操作部４の表面は、ケーシング１の蓋部１１，本体部１２と面一となる平坦面に形成されている。
【００３２】
この形態によると、図１（Ａ），図２に示すように、湾曲片形のガイド片２，筋付片３がケーシング１の内部に収容されてしまうため、凹凸構造がなくなってハンドバック等の内部への携帯に便利である。特に、特許文献１に係る二重まぶた形成具のようなモータ等の駆動部を備えていないため、全体が小型化されてハンドバック等の内部への携帯に非常に便利である。また、操作部４がケーシング１の一部を代替して全体の容積の拡大を避けていることも、ハンドバック等の内部への携帯の便利性を向上させている。なお、ケーシング１の蓋部１１
【００３３】
さらに、この形態によると、ケーシング１の蓋部１１が本体部１２に取付けられた状態では、操作部４がケーシング１の蓋部１１に係止されて操作不能になる。従って、ハンドバック等の内部への携帯の際に筋付片が無用に動作されることがない。
【００３４】
この形態を使用するには、図１（Ｂ），図３に示すように、ケーシング１の蓋部１１を本体部１２に取外す。この結果、ガイド片２，筋付片３がケーシング１の本体部１２から露出される。そして、図１（Ｃ）に示すように、操作部４がケーシング１の蓋部１１への係止を解除されて先端部が降下するようにして回動され、ケーシング１の本体部１２から突出された格好となる。なお、ガイド片２の軸穴２２と操作部４の軸４４との摩擦が大きく図１（Ｂ）の状態からから図１（Ｃ）の状態にスムースに移行しない場合には、操作部４の先端部側を指先で軽く引下げるか後端部側を指先で軽く押上げるとよい。
【００３５】
図１（Ｃ）の状態では、親指で操作部４の指掛け曲面４２を押し他の指でケーシング１の本体部１２を掴むことで、片手による使用が可能になる。
【００３６】
操作部４の指掛け曲面４２がコイルスプリング５の弾圧に抗して押されると、操作部４が軸４４を中心として回動され、操作部４の押圧部４３が筋付片３の窓孔３２の前方側の縁部を押すことになる。この結果、筋付片３がガイド片２に沿ってスライドされ先端部方向へ進出する。なお、操作部４の回動については、押圧部４３ガイド部材２の窓孔２３の前方側の縁部への当接によって限界となる（図６の拡大部参照）。操作部４の押操作を解除すると、コイルスプリング５の弾圧によって、筋付片３がガイド片２に沿ってスライドされ後端部方向へ後退し、操作部４が逆方向へ後退する。
【００３７】
二重まぶたの形成に際しては、ガイド部材２をまぶたＭの下端付近に当接させて筋付片３の進退を繰返すことになる。
【００３８】
即ち、まぶたＭに進出した筋付片３の押圧面３１に取付けられている緩衝材６は、図７（Ｂ）に示すように、まぶたＭをある程度強い力で押圧する。このとき、緩衝材６（筋付片３の押圧面３１）に操作部４の操作力が作用しているため、まぶたＭを弾力性に抗して確実に押圧する。なお、操作部４がてこの動作を奏することで、充分にまぶたＭを押圧することができるため、老人，病人の使用や手に動きに制約のある狭い場所での使用が可能になる。従って、まぶたＭに確実に筋付けがなされる。なお、ガイド部材２によって筋付片３の進退が案内され筋付片３の進退の方向性に正確性が確保されているため、まぶたＭにおける筋付け位置が正確になって、二重まぶたが確実，綺麗に形成されることになる。なお、緩衝材６の緩衝機能から、押圧されたまぶたＭが傷付くようなことはない。
【００３９】
このような二重まぶたの形成は、恐怖感を伴ったり薬品アレルギーが生じたりすることがなく、安全，簡便に行うことができる。
【００４０】
筋付片３の進出の後、図７（Ａ）に示すように、筋付片３の押圧面３１に取付けられている緩衝材６が後退する。従って、まぶたＭへの長時間の継続的な刺激を回避することができ、まぶたＭや眼球の傷付きを防止することができる。
【００４１】
そして、後退した筋付片３の押圧面３１に取付けられている緩衝材６は、再びまぶたＭに進出する。そして、再び前述の押圧作用が奏される。
【００４２】
緩衝材６による間欠的なまぶたＭの押圧は、必要以上にまぶたＭを刺激することなく確実に二重まぶたを形成することになる。特に、間欠的な押圧が軽い叩き，揉みの状態を呈するため、まぶたＭの内部の脂肪層に凹みを形成して筋付けを深くし、二重まぶたの形成を確実にする。
【００４３】
以上、図示した形態の外に、操作部４をケーシングの反対側（上側）に位置させて人差指で操作するように構成することも可能である。
【産業上の利用可能性】
【００４４】
本発明に係る二重まぶた形成具は、薬品アレルギーが生じない体質の人が薬品塗布と併用することを不可能にするものではない。
【符号の説明】
【００４５】
１            ケーシング
１１          蓋部
１２          本体部
２           
ガイド片
３            筋付片
４            操作部
Ｍ            まぶた
【図１】
2011130855.tif 000003
【図２】
2011130855.tif 000004
【図３】
2011130855.tif 000005
【図４】
2011130855.tif 000006
【図５】
2011130855.tif 000007
【図６】
2011130855.tif 000008
【図７】
2011130855.tif 000009